(57)【特許請求の範囲】
【請求項１】
ホルダと、袋体と、透明体とを備え、
前記ホルダは、第１収納空間と、第１開口部と、第１透孔とを備え、
前記第１収納空間は、内部にカメラを収納する構成となっており、
前記第１開口部は、この第１開口部を介して、前記第１収納空間にカメラを収納し又は取り出すことができる構成となっており、
前記第１透孔は、前記第１収納空間に収納されたカメラのレンズに対向する位置に形成されており、
前記袋体は、第２収納空間と、第２開口部と、第２透孔とを備え、
前記第２収納空間の内部には、前記ホルダが収納されており、
前記第２開口部は、その内部においてカメラを挿通させることができる構成となっており、
かつ、前記第２開口部は、前記第１開口部と同じ向きに配置されることによって、前記第２及び第１開口部を介して、前記ホルダにおける前記第１収納空間にカメラを収納し又は取り出すことができる構成となっており、
さらに、前記第２開口部は、開閉可能となっており、かつ、閉状態では、前記第２開口部を介して袋体の内部に水が侵入することを妨げる構成となっており、
前記第２透孔は、前記第１透孔に対向する位置に配置されており、
前記透明体は、前記カメラが前記第１収納空間に収納された状態において、前記カメラのレンズに対向する位置に配置されており、
前記第１及び第２透孔は、外部から前記袋体又は前記ホルダの内部に水が侵入することを妨げるように、前記透明体によって閉鎖されており、
前記袋体は、少なくとも一つのひだを持つ折り込み部を備えており、
前記折り込み部は、前記袋体を、その端部近傍において、内側に折り込んで形成されており、
前記折り込み部は、前記折り込み部の内部に使用者の指を入れた状態において、使用者の指がカメラの巻き上げ部に届く深さに形成されており、
さらに、前記折り込み部は、前記巻き上げ部の巻き上げ時において変形することによって、前記巻き上げ部の巻き上げ操作を可能としており、
かつ、前記折り込み部は、前記巻き上げ部の巻き上げ動作を行った後は、初期の折り込み形状に近い形状に復元することによって、次の巻き上げ操作に必要なだけの折り込み量を自動的に確保できる構成となっており、
さらに、前記カメラの前記巻き上げ部はダイヤル状とされていることを特徴とするカメラ用防水カバー。
【請求項２】
前記第１透孔の周縁と、前記透明体の周縁とは、密着させられており、これによって、前記第１透孔を介して前記ホルダの内部に水が侵入することを妨げる構成となっており、
前記第２透孔の周縁と、前記第１透孔の周縁とは、密着させられており、これによって、前記第２透孔を介して前記袋体と前記ホルダとの間に水が侵入することを妨げる構成となっている
ことを特徴とする請求項１に記載のカメラ用防水カバー。
【請求項３】
前記袋体は、塩化ビニール等の、柔軟性が高くかつ水密性を持つ材質により形成されていることを特徴とする請求項１又は２に記載のカメラ用防水カバー。
【請求項４】
前記袋体は、透明な材質により形成されていることを特徴とする請求項１〜３のいずれか１項に記載のカメラ用防水カバー。
【請求項５】
前記ホルダは、前記カメラ全体を覆う形状とされていることを特徴とする請求項１〜４のいずれか１項に記載のカメラ用防水カバー。
【請求項６】
前記透明体は、ポリカーボネイト等の硬質な材質により形成されていることを特徴とする請求項１〜５のいずれか１項に記載のカメラ用防水カバー。
【請求項７】
前記カメラは、ファインダ、フラッシュ、シャッタボタン又は巻き上げ部のいずれかを備えており、
前記ホルダは、前記ファインダ、フラッシュ、シャッタボタン又は巻き上げ部に対向する位置に形成された１又は複数の他の透孔をさらに備えていることを特徴とする請求項１〜６のいずれか１項に記載のカメラ用防水カバー。
【請求項８】
請求項１〜７のいずれか１項に記載のカメラ用防水カバーと、カメラとを備え、
前記カメラは、前記ホルダにおける前記第１収納空間の内部に収納されており、
かつ、前記カメラのレンズは、前記ホルダの前記第１透孔に対応する位置に配置されている
ことを特徴とする防水カメラ。
【発明の詳細な説明】
【技術分野】
【０００１】
本発明は、カメラ用防水カバー及びこれを用いた防水カメラに関するものである。
【背景技術】
【０００２】
下記特許文献１及び２には、カメラ用の防水カバーが記載されている。
【０００３】
下記特許文献１記載のカバーは、カメラに嵌めつけるリングを用いてカメラにカバーを固定することによって、カメラに防水性を与えている。しかしながら、このカバーでは、リングを用いるので、カメラにカバーを着脱する作業が煩雑であるという問題がある。また、この技術では、カメラが、リングの嵌めつけに適した形状でなければならないという制約がある。さらに、下記特許文献１の第７図では、レンズと同じ躯体面にフラッシュがあるコンパクトカメラの前面全てを平板状の透明樹脂で覆うことで、カメラに防水性を与える構成が記載されている。しかしながら、カメラの前面全てを平板状の透明樹脂を覆ってしまうと、フラッシュからの光が透明樹脂の中を進行したり、透明樹脂の内面で反射し、この光がレンズの中に入射しやすくなる。すると、写真性が劣化するおそれが高いという不都合を生じる。
【０００４】
下記特許文献２記載のカバーは、ポリスチレン樹脂などの弾性体で構成されたケースを２分割とし、その内部にカメラを収納した後、ケースを閉じることで、カメラに防水性を与えている。また、２分割とされたケースの継ぎ目にリングを嵌めつけることで、分割されたケースの接合部に防水性を与えている。
【０００５】
しかしながら、この技術では、（１）リングを着脱する作業が繁雑である、（２）ケースを介してカメラを操作するために操作性が悪くなる、（３）カメラの操作性を向上させるためにケースに特殊加工を施すと、ケースのコストが高くなる、等の問題がある。
【特許文献１】特開昭５２−２５２１号公報
【特許文献２】特開平１１−６５０２７号公報
【発明の開示】
【発明が解決しようとする課題】
【０００６】
本発明は、前記の状況に鑑みてなされたものである。本発明は、カメラへの着脱が比較的容易で、かつ、カメラを比較的容易に操作しうる、カメラ用防水カバーを提供しようとするものである。また、本発明の他の目的は、このようなカバーを備えた防水カメラを提供することである。
【課題を解決するための手段】
【０００７】
本発明に係るカメラ用防水カバーは、ホルダと、袋体と、透明体とを備えている。前記ホルダは、第１収納空間と、第１開口部と、第１透孔とを備えている。前記第１収納空間は、内部にカメラを収納する構成となっている。前記第１開口部は、この第１開口部を介して、前記第１収納空間にカメラを収納し又は取り出すことができる構成となっている。前記第１透孔は、前記第１収納空間に収納されたカメラのレンズに対向する位置に形成されている。
【０００８】
前記袋体は、第２収納空間と、第２開口部と、第２透孔とを備えている。前記第２収納空間の内部には、前記ホルダが収納されている。前記第２開口部は、その内部においてカメラを挿通させることができる構成となっている。かつ、前記第２開口部は、前記第１開口部と同じ向きに配置されることによって、前記第２及び第１開口部を介して、前記ホルダにおける前記第１収納空間にカメラを収納し又は取り出すことができる構成となっている。さらに、前記第２開口部は、開閉可能となっており、かつ、閉状態では、前記第２開口部を介して袋体の内部に水が侵入することを妨げる構成となっている。前記第２透孔は、前記第１透孔に対向する位置に配置されている。
【０００９】
前記透明体は、前記カメラのレンズに対向する位置に配置されている。
【００１０】
前記第１及び第２透孔は、外部から前記袋体又は前記ホルダの内部に水が侵入することを妨げるように、前記透明体によって閉鎖されている。
【００１１】
本発明において、前記第１透孔の周縁と前記透明体の周縁とを密着することによって、前記第１透孔を介して前記ホルダの内部に水が侵入することを妨げる構成とすることができる。さらに、前記第２透孔の周縁と前記第１透孔の周縁とを密着することによって、前記第２透孔を介して前記袋体と前記ホルダとの間に水が侵入することを妨げる構成とすることができる。
【００１２】
本発明における袋体は、少なくとも一つのひだを持つ折り込み部を備えることができる。前記折り込み部は、前記袋体を、その端部近傍において、内側に折り込んで形成される。さらに、前記折り込み部は、前記折り込み部の内部に使用者の指を入れた状態において、使用者の指がカメラの巻き上げ部に届く深さに形成される。このようにすれば、折り込み部の内部に入れた指により、カメラの巻き上げ動作を行うことができる。
【００１３】
本発明における袋体は、塩化ビニール等の、柔軟性が高くかつ水密性を持つ材質により形成されることが好ましい。このようにすれば、袋体の外側からカメラを操作する作業が容易となる。
【００１４】
本発明における袋体を透明な材質により形成してもよい。この場合は、袋体の外側からカメラを視認することが容易となり、カメラの操作が一層容易となる。
【００１５】
本発明におけるホルダは、カメラ全体を覆う形状とすることができる。この場合は、ホルダに対するカメラの位置決めが比較的に正確になる。
【００１６】
本発明における透明体は、ポリカーボネイト等の硬質な材質により形成してもよい。この場合は、透明体が不意に変形することが少ないので、カメラのレンズに入射される光線が不規則に散乱するおそれが少なくなり、写真性の向上が期待できる。
【００１７】
本発明におけるカメラは、ファインダ、フラッシュ、シャッタボタン又は巻き上げ部のいずれかを備えることができる。さらに、本発明におけるホルダは、ファインダ、フラッシュ、シャッタボタン又は巻き上げ部に対向する位置に形成された１又は複数の他の透孔をさらに備えることができる。これにより、透孔を介して、ファインダの視認、フラッシュ光の照射、シャッタボタンの操作、あるいは、巻き上げ部の操作が容易となる。
【００１８】
本発明における防水カメラは、前記したいずれかのカメラ用防水カバーとカメラとを備えている。このカメラは、前記ホルダにおける前記第１収納空間の内部に収納されている。さらに、カメラのレンズは、前記ホルダの前記第１透孔に対応する位置に配置されている。この防水カメラにおいては、防水カバーによって、カメラに防水性が付与される。
【発明の効果】
【００１９】
本発明によれば、カメラへの着脱が比較的容易で、かつ、カメラを比較的容易に操作しうるカメラ用防水カバーを提供することができる。また、本発明によれば、このようなカバーを備えた防水カメラを提供することが可能となる。
【発明を実施するための最良の形態】
【００２０】
（第１実施形態の構成）
本発明の第１実施形態におけるカメラ用防水カバー（以下、適宜「カバー」と略称することがある）１を、添付の図面を参照しながら説明する。
【００２１】
（カメラの構成）
まず、このカバー１が装着されるカメラ２を、図１に基づいて説明する。カメラ２としては、本実施形態では、レンズ付きフィルムが用いられている。ただし、カバー１が装着されるカメラとしては、レンズ付きフィルム以外でも、通常のフィルムカメラ、デジタルカメラ、赤外線カメラなどであってもよい。また、カメラとしては、撮影用のレンズを備えた撮像機器であればよく、いわゆるカメラ付き携帯電話やビデオカメラであってもよい。
【００２２】
本実施形態におけるカメラ２は、撮像用レンズ２１と、ファインダ２２と、フラッシュ２３と、フラッシュ操作用スイッチ２４と、シャッタボタン２５と、巻き上げ部２６とを備えている。巻き上げ部２６は、本実施形態では、ダイヤル状となっており、反時計方向に回転させることによってフィルムの巻き上げができるようになっている。カメラ２としては、フィルム残枚数の表示窓や、被写体との距離センサを備えていてもよいが、それらの図示は省略する。このようなカメラ２は、既によく知られているので、これ以上詳細な説明は省略する。
【００２３】
（防水カバーの構成）
本実施形態のカバー１は、ホルダ３と、袋体４と、透明体５とを主要な要素として備えている（図１参照）。
【００２４】
（ホルダの構成）
ホルダ３は、前面部３１と背面部３２とを備えている。前面部３１と背面部３２とは、互いに対向する部分が凹状に形成されている。この構成によって、前面部３１と背面部３２との間に、第１収納空間３３が形成されている。第１収納空間３３は、内部にレンズ付きフィルム（すなわちカメラ）２を収納できる形状となっている。
【００２５】
ホルダ３の前面部３１と背面部３２とは、その一側（図１において左側）の接続部３４において接続されている。本実施形態では、前面部３１と背面部３２と接続部３４とが一体とされており（図３参照）、接続部３４において折り曲げられて、開閉可能となっている。
【００２６】
ホルダ３において接続部３４と反対の側は、第１開口部３５となっている。第１開口部３５は、この第１開口部３５を介して、第１収納空間３３にカメラ２を収納し又は取り出すことができる構成となっている。
【００２７】
本実施形態のホルダ３は、全体として、真空成形された樹脂により構成されている。樹脂の材質としては、比較的硬質な樹脂、例えば、硬質とされたＰＶＣ（ポリ塩化ビニル）、ＰＰ（ポリプロピレン）、ＰＥＴ（ポリエチレンテレフタレート）を用いることが好ましい。樹脂の成形方法としては、他の方法も可能であるが、真空成形の場合は、比較的安価でありながら必要な精度を得やすいので好ましい。また、インジェクション法による成形も可能である。
【００２８】
また、本実施形態のホルダ３は、カメラ２を収納空間３３に収納した状態において、その全体を覆う形状とされている（図３参照）。本実施形態でのホルダ３は、全体として不透明（特に、フラッシュ２３からの光に対して不透明）とされていることが好ましい。このようにすると、フラッシュ２３からの光がホルダ３の肉厚内を通ってレンズ２１に入ることを防止でき、写真性の劣化を防ぐことができる。
【００２９】
ホルダ３の前面部３１には、レンズ前の透孔３１１（本発明の第１透孔に相当）と、ファインダ前の透孔３１２と、フラッシュ前の透孔３１３と、シャッタ用の透孔３１４とが形成されている。これらの透孔の形成方法としては、前面部３１の一部を切断や打ち抜きによって切り欠くなど、適宜な方法を使用することができる。
【００３０】
レンズ前の透孔（第１透孔）３１１は、第１収納空間３３に収納されたカメラ２のレンズ２１に対向する位置に形成されている。同様に、ファインダ前の透孔３１２は、カメラ２のファインダ２２に対向する位置に形成され、フラッシュ前の透孔３１３は、カメラ２のファインダ２２に対応する位置に形成されている。フラッシュ前の透孔３１３は、フラッシュ操作スイッチ２４に対向する位置まで延長されている。つまり、本実施形態における透孔３１３は、フラッシュ操作スイッチ２４用の透孔を兼ねている。シャッタ用の透孔３１４は、シャッタボタン２５の上方に形成されており、シャッタボタン２５の操作を容易としている。
【００３１】
さらに、ホルダ３の前面部３１のフランジ部分には、開口部３５を閉じるための凹部３１５が形成されている（図３参照）。
【００３２】
ホルダ３の背面部３２には、巻き上げ部用の透孔３２１と、ファインダ用の透孔３２２とが形成されている（図４及び図５参照）。
【００３３】
巻き上げ部用の透孔３２１は、カメラ２の巻き上げ部２６に対向する位置に配置されており、巻き上げ部２６をホルダ３の外部から操作できるにように、巻き上げ部２６を露出させている。また透孔３２１は、カメラ２のシャッタボタン２５に対向する部分まで延長されている。つまり、透孔３２１は、シャッタボタン２５を露出させるための透孔を兼ねている。透孔３２１は、前面部３１の透孔３１４と共に、シャッタボタン２５を露出させて、その操作を容易にするようになっている（図１参照）。
【００３４】
ファインダ用の透孔３２２は、カメラ２の背面側におけるファインダ２２に対向する位置に配置されている（図５参照）。
【００３５】
また、背面部３２のフランジ部分には、前記凹部３１５の内部に挿入されることによって開口部３５を閉じるための凸部３２３が形成されている（図３参照）。
【００３６】
（袋体の構成）
袋体４は、第２収納空間４１と、第２開口部４２と、第２透孔４３と、折り込み部４４（図３参照）とを備えている。
【００３７】
第２収納空間４１は、袋体４の内部における空間である。第２収納空間４１の内部には、ホルダ３が収納されている（図１〜図３参照）。
【００３８】
第２開口部４２は、袋体４の一端側（図１において右端側）を開口させることによって形成されている。第２開口部４２は、その内部においてカメラ２を挿通させることができる大きさとなっている。ここで、開口部４２の周囲長は、カメラ２の周囲長（挿入方向の最大投影面積における周囲長)の２倍以上あることが、挿通を容易にするために好ましい。
【００３９】
また、第２開口部４２は、第１開口部３５と同じ向きに配置されることによって（図１及び図３参照）、第２及び第１開口部４２及び３５を介して、ホルダ３における第１収納空間３３にカメラ２を収納し又は取り出すことができる構成となっている。
【００４０】
さらに、第２開口部４２は、スライダ４２１を操作することによって開閉可能となっており、かつ、閉状態では、第２開口部４２を介して袋体４の内部に水が侵入することを妨げる構成となっている。第２開口部４２を開閉可能かつ水密に閉じる方法としては、既存の各種のものを用いることが可能である。
【００４１】
第２透孔４３は、ホルダ３におけるレンズ前の透孔（第１透孔）３１１に対向する位置に配置されている。
【００４２】
袋体４の折り込み部４４は、少なくとも一つのひだを持っている（図３参照）。この折り込み部４４は、袋体４を、その端部近傍において、内側に折り込むことによって形成されている。折り込み部４４は、外部が開口し、袋体４の内側に底部４４１が形成されている。本実施形態では、このように、外部が開口して、袋体４の内側に一つの底部が形成された状態を、「一つのひだを持つ」と称している。複数の底部を持つように複数回折り込まれていれば、複数のひだを持つことになる。
【００４３】
さらに、折り込み部４４は、折り込み部４４の内部に使用者の親指を入れた状態において、この親指がカメラ２の巻き上げ部２６に届く深さに形成されている（図６参照）。
【００４４】
本実施形態における袋体４は、ポリ塩化ビニル等の、柔軟性が高くかつ水密性を持つ材質により形成されている。
【００４５】
また、本実施形態の袋体４は、カメラ２の状態を視認するために、透明な材質により形成されていることが好ましい。ただし、カメラ２の視認や操作に支障のない範囲であれば、袋体４に図柄を付すことができる。
【００４６】
（透明体の構成）
透明体５は、カメラ２のレンズ２１に対向する位置に配置されている。本実施形態の透明体５は、円板状に形成されている。また、この透明体５は、カメラ２に入射すべき光（可視光用のカメラであれば可視光）に対して実質上透明とされている。透明体５は、ポリカーボネイト等の硬質樹脂のように、透明でかつ硬質な材質により形成されていることが好ましい。
【００４７】
さらに、図７に示されるように、ホルダ３におけるレンズ前の透孔（第１透孔）３１１の周縁と、透明体５の周縁とは、密着させられている。これによって、第１透孔３１１を介してホルダ３の内部に水が侵入することを妨げる構成となっている。透孔３１１の周縁と透明体５とを密着させる手段としては、例えば超音波溶着を用いることができる。ただし、接着剤や両面テープなどの接着材料を介して両者を密着させることもできるし、両者の間に他の部材（袋体４の一部であってもよい）を介在させることも可能である。また、透孔３１１の周縁と透明体５とを密着させる手段としては、これらを一体に成形する方法も可能である。例えば、インジェクション成形（例えばインサート成形やダブルインジェクション成形）により、ホルダ３と透明体５とを一体として成形することも可能である。
【００４８】
さらに、本実施形態では、図７に示されるように、第２透孔４３の周縁と、第１透孔３１１の周縁とが、密着させられている。これによって、第２透孔４３を介して袋体４とホルダ３との間に水が侵入することを妨げる構成となっている。透孔４３の周縁と透孔３１１の周縁とを密着させる手段としては、超音波溶着などの手段を用いて両者を密着させることができる。ただし、両者の間に他の部材（透明体５の一部であってもよい）を介在させることも可能であるし、接着剤や両面テープを用いることもできる。超音波溶着を用いる場合は、カバー４と、ホルダ３との溶着部分（二つの透孔の周縁）を同じ材料とすることが、溶着性を向上させるために好ましい。また、第２透孔４３の周縁を透明体５に密着させることにより、透明体５を介して、透孔４３の周縁を３１１の周縁に密着させることもできる。
【００４９】
本実施形態では、前記の構成により、第１及び第２透孔３１１及び４３が、透明体５によって閉鎖されており、これにより、外部から袋体４及びホルダ３の内部に水が侵入することを妨げるようになっている。このように、本明細書では、「透明体５によって閉鎖」とは、透明体５だけによって閉鎖される場合だけでなく、他の部材と協働して閉鎖される場合を含む。例えば、本例の第２透孔４３は、第１透孔３１１の周縁と透明体５との協働により閉鎖されている。要するに、実質的に、透明体５を用いて閉鎖されていればよい。
【００５０】
また、本実施形態では、第１透孔３１１の周縁の一部を、透孔３１１と同心円状となるように、前方に突出させることにより、突出部３１１ａが形成されている（図７参照）。突出部３１１ａの表面側には、第２透孔４３の周縁部が密着されている。さらに、突出部３１１ａの内側には、フランジ部３１１ｂが形成されている。フランジ部３１１ｂの表面側には、透明体５の周縁部が密着されている。突出部３１１ａの内側に透明体５を配置することにより、透明体５の傷つき防止を図ることができる。また、第１透孔３１１の周縁の凹凸形状を、レンズ２１の周縁の凹凸形状に近似させると、二つの周縁が緩く嵌りあうために、カメラ２とホルダ３との位置ずれの可能性が減少する。
【００５１】
本実施形態の透明体５は、カメラ２のレンズ２１とほぼ平行（より好ましくは、レンズ２１の光軸と直交）とされている。
【００５２】
（第１実施形態の動作）
つぎに、本実施形態に係るカバー１の使用方法を説明する。前提として、本実施形態のカバー１は、使用時においては、前記したとおり、第１透孔３１１の周縁と第２透孔４３の周縁と透明体５とが互いに接着されているものとする。これにより、ホルダ３と袋体４と透明体５とは、この接着箇所においては相対移動できないものとなっている。また、説明の便宜上、初期状態においては、ホルダ３の開口部３５と袋体４の開口部４２とはいずれも閉状態であるとする。
【００５３】
まず、カメラ２にカバー１を取り付ける方法を説明する。使用者は、まず、袋体４の開口部４２を開け、さらに、ホルダ３の開口部３５を開ける。ホルダ３の開口部３５を少し開けた状態は、図１に分解図として示されている。
【００５４】
ついで、使用者は、袋体４の開口部４２と、ホルダ３の開口部３５とを介して、ホルダ３の収納空間３３にカメラ２を配置する。ついで、開口部３５と開口部４２とを閉じることにより、カメラ２にカバー１を取り付けることができる。カメラ２をカバー１から取り出すには、開口部４２及び開口部３５を開けて、カメラ２を指で持ち、ホルダ３の収納空間３３から外部に引き出す。
【００５５】
本実施形態のカバー１では、二つの開口部４２及び３５の開閉により、カメラ２を簡単に着脱することができるという利点がある。
【００５６】
また、本実施形態のカバー１では、二つの開口部４２及び３５を同じ向きに配置した（図１参照）ので、一層容易に、カメラ２をカバー１に着脱することができる。
【００５７】
さらに、本実施形態のカバーでは、カバー１の内部に配置されたカメラ２の操作（例えばシャッタボタン２５の操作）を、袋体４の外部から行うことができる。したがって、本実施形態では、カメラ２の操作が行いやすいという利点がある。
【００５８】
また、本実施形態のカバー１では、ホルダ３に第１透孔３１１を形成し、袋体４に第２透孔４３を形成し、第２透孔４３を、第１透孔３１１に対向する位置に配置し、透明体５を、カメラ２のレンズ２１に対向する位置に配置している。このため、ホルダ３にカメラ２を装着した状態では、カメラ２のレンズ２１の前方には、透明体５が配置された状態となる。よって、本実施形態によれば、透明体５を介して、外部からの光線をレンズ２１に入射することができ、カメラ２による撮影をすることができる。
【００５９】
また、透明体５を、ポリカーボネイト等の硬質な材質により形成すれば、入射光の不規則な屈折や反射を減少させることができ、写真性を向上させることが可能となる。
【００６０】
さらに、本実施形態では、第１及び第２透孔３１１及び４３を、外部から袋体４又はホルダ３の内部に水が侵入することを妨げるように、透明体５によって閉鎖したので、カバー１の防水性を向上させることができる。
【００６１】
また、本実施形態では、第２透孔４３の周縁と、第１透孔３１１の周縁とを密着させているので、次のような利点もある。カメラ２がフラッシュ２３を備えている場合、カメラ２の周囲を透明部材で覆うと、透明部材の内部で反射した光の一部がレンズ２１に到達し、写真性を劣化させることがある。これに対して、本実施形態では、ホルダ３と袋体４との間を進む光を、第２透孔４３の周縁と第１透孔３１１の周縁との密着部分で阻止することができる。これにより、反射光がレンズ２１に入り込む可能性を減少させ、写真性を向上させることが可能となる。
【００６２】
さらに、本実施形態の袋体４は、少なくとも一つのひだを持つ折り込み部４４を備えているので、図６に示したように、使用者の指を折り込み部４４の中に挿入し、カメラ２の操作を行うことができる。特に、本実施形態では、使用者の指を、カメラ２の巻き上げ部２６に接触させることができる。さらに、本実施形態では、この状態で指を適宜に動かすことにより、図８に示すように、折り込み部４４を変形させて、巻き上げ部２６に対する巻き上げ操作を行うことができる。したがって、本実施形態では、カメラ２におけるフィルムの巻き上げ操作が容易になるという利点がある。もちろん、巻き上げ部の位置に応じて、折り込み部の深さや形状は適宜変更することが好ましい。また、デジタルカメラのように巻き上げが不要なカメラについては、巻き上げのための折り込み部は省略できる。もちろん、折り込み部４４を、巻き上げ以外の操作のために用いることは可能であり、その場合は、それに適するように、折り込み部４４の形状や深さを設定する。例えば、折り込み部４４に人差し指を差し込み、この指でシャッタボタン２５を操作するという操作方法も可能である。
【００６３】
ここで、巻き上げ部２６を操作しやすくするために、袋４自体を大きくし、折り込み部の形成を省略することも可能である。しかしながら、そのようにしても、袋４がカメラ２に対して相対移動できる量が安定しないため、巻き上げ動作が難しくなりやすい。これに対して、本実施形態では、折り込み部４４を形成したので、折り込み量（折り込み深さややひだ数）に対応して、袋４とカメラ２との相対移動量をほぼ自動的に確保できる。さらに、巻き上げ動作を行った後は、初期の折り込み形状に近い形状まで復元させることで、次の巻き上げに必要な折り込み量を確保できる。このようにして、本実施形態によれば、巻き上げ動作を容易にすることができる。
【００６４】
また、前記実施形態の袋体４は、塩化ビニール等の、柔軟性が高くかつ水密性を持つ材質により形成されているので、カメラ２への防水性を向上させることができるばかりでなく、袋体４の外側からカメラ２を操作することが容易となるという利点がある。
【００６５】
さらに、前記実施形態の袋体４は、透明な材質により形成されているので、袋体４の外部からカメラ２を視認しやすく、その操作が容易になるという利点がある。また、袋体４の外側からカメラ２のファインダ２２をのぞき込むことが可能なので、ファインダ２２に対応する箇所に透孔を袋体４に設ける必要がない。もし、袋体４に透孔を設けた場合には、それを水密に閉鎖する手段が必要となり、透孔からの水漏れのおそれも生じ、さらには、カバーの装着作業が煩雑になる。これに対して、本実施形態では、そのような透孔を省略できるので、水密性を向上させ、さらに、構成部品を減らして、コスト低減も可能となり、カバーの着脱作業が簡易となる。
【００６６】
また、袋体４は、特段の加工を必要としないので、コスト低減を図ることができる。
【００６７】
さらに、本実施形態のホルダ３は、カメラ２全体を覆う形状とされているので、ホルダ３に収納されたカメラをホルダ３に対して正確に位置決めすることが容易となる。このため、レンズ２１と透明体５、巻き上げ部２６と折り込み部４４などの構成要素間において、比較的正確に位置決めをすることができる。これにより、撮影動作やフィルム巻き上げ動作など、各種の動作を正確かつ容易に行うことが可能となるという利点もある。
【００６８】
また、本実施形態のカメラでは、ホルダ３を袋体４に取り付けた状態（図３参照）においては、ホルダ３は、折り込み部４４の底部４４１の外側（図３中において下側）ではなく、底部４４１の内側に配置されている。ホルダ３が、折り込み部４４の底部４４１の外側（図３中において下側）に配置されている場合には、折り込み部４４を用いても、巻き上げ部２６を操作することは困難となる。これに対して、本実施形態では、ホルダ３と袋体４とを、あらかじめ、カメラ２のレンズ２１の前方において接合させている。このため、本実施形態によれば、袋体４が柔軟材料で作製されていても、ホルダ３を袋体４の適正な位置にあらかじめ配置しておくことができる。
【００６９】
また、本実施形態のホルダ３は、カメラ２のファインダ２２、フラッシュ２３、フラッシュ操作スイッチ２４、シャッタボタン２５及び巻き上げ部２６に対向する位置に形成された透孔を備えているので、ファインダ２２を介した被写体の視認や、カメラ２への操作が容易となるという利点がある。
【００７０】
さらに、本実施形態では、袋体４でホルダ３を覆っているので、ホルダに透孔を形成していても、カメラへの水の侵入を防ぐことが可能となる。
【００７１】
また、本実施形態では、カメラに特段の加工を施すことなく、単にカバー１を用いるだけで、カメラに防水性を付与することが可能となる。
【００７２】
さらに、本実施形態のカバー１によれば、躯体表面にレンズがあるカメラ（例えばカメラ付き携帯電話やコンパクト型のデジタルカメラ）であって、固定用リングを取り付けにくい形状のものにも適用が容易であるという利点もある。
【００７３】
また、本実施形態のカバー１では、レンズ２１に対向する透明体５を、レンズ２１に近接させ、かつ、これと平行にしているので、レンズ２１へのフラッシュ光の入り込みを防止ないし減少させることが可能となる。
【００７４】
さらに、本実施形態のカバー１は、基本的に安価で量産性のある三つの部品（ホルダ、袋体、透明体）で構成できるので、製造が容易であり、かつ、コストを抑えることが可能である。
【００７５】
また、本実施形態のカバー１は、ホルダ３と袋４とを、溶着その他の適宜な接着手段で密着したので、袋４の第２開口部４２を開封して、袋４又はホルダ３の一方を拡げると、連動して他方も開く。これにより、カメラ２の装着が一層容易となる。
【００７６】
さらに、従来の防水カバーでは、カメラへの装着のために、カメラに対して特別な加工を必要とするものがある。このカバーでは、市販のカメラへの装着ができず、カバーの再使用が困難になるために、資源の有効活用が図りにくいという問題がある。これに対して、本実施形態のカバー１では、カメラに対して特別な加工を必要としないので、カメラ２を使用した後、必要であれば、市販の他のカメラ（なるべく同形状のものが好ましい）に交換することができる。このため、カバー１を繰り返し使用することが可能となり、資源の有効利用にも寄与する。
【００７７】
さらに、本実施形態では、袋４に全面印刷を施すことも可能であり、このようにすれば、需要者から視認されやすいために、高い広告効果を発揮しうるという利点もある。もちろん、袋４に装飾を施す場合は、外部からカメラ２を視認し操作するために必要な箇所は透明にしておくことが好ましい。
【００７８】
また、防水カメラは、直射日光が当たる場所や夏に使われることが多い。一方、既存の多くの防水カメラにおいては、防水性を保つため、カメラカバーを容易に開封できない構造としている。このような構造において、温度上昇によりケース内圧が上昇すると、ケース破損やケースゆがみのおそれがある。ケースがゆがむと、レンズ前面の部材も変形又は移動するので、写真性が劣化するおそれがある。これに対して、本実施形態では、袋４の第２開口部４２を適宜開けることで、容易に内気を外に逃がすことができる（防水性が必要なときには再び開口部４２を閉じればよい）。また、本実施形態では、透明体５を、ホルダ３の第１透孔３１１の周縁に接着させているので、袋４の変形に拘わらず、透明体５をレンズ２１にほぼ平行に保つことができ、写真性の低下を防止できる。ここで、本実施形態のホルダ３については、そもそも気密構造とする必要がない（袋体４で防水している）ため、ホルダ３の内圧上昇は容易に防止できる。例えば、ホルダ３における透孔の形成や、第１開口部３５の閉状態における気密度の調整により、内圧上昇を防止できる。
【００７９】
さらに、本実施形態では、ホルダ３の内面形状を、カメラ２にほぼ沿うように形成することによって、ホルダ３の変形をカメラ２で防ぐことができる。このため、ホルダ３を薄肉とすることができ、その製造コストを一層低減することが可能となる。
【００８０】
（第２実施形態）
次に、本発明の第２実施形態に係る防水カバーを、図９を参照しながら説明する。この第２実施形態の説明においては、前記した第１実施形態のカバーと実質的に同様な構成要素には同じ符号を用いることで、説明の重複を避ける。
【００８１】
第２実施形態のカバー１におけるホルダ３の第１開口部３５は、第１実施形態と異なり、ホルダ３の上部に形成されている。すなわち、第２実施形態では、前面部３１と背面部３２とが、それらの下端において接合されており、上端が開閉するようになっている。
【００８２】
また、本実施形態の袋体４の第２開口部４２は、第１実施形態と異なり、袋体４の上端に形成されている。
【００８３】
さらに、本実施形態では、カメラ２として、いわゆるデジタルカメラが用いられている。このカメラ２は、第１実施形態のものと異なり、巻き上げ部を備えていない。これに対応して、第２実施形態のホルダ３は、巻き上げ部用の透孔を備えていない。
【００８４】
本実施形態のカバー１においても、第１開口部３５と第２開口部４２とを同じ向きに配置したので、これらを介してカメラ２をカバー１に着脱することができる。他の構成及び利点は、基本的には、第１実施形態と同様なので、説明を省略する。
【００８５】
（第３実施形態）
次に、本発明の第３実施形態に係る防水カバーを、図１０を参照しながら説明する。この第３実施形態の説明においても、前記した第１実施形態のカバーと実質的に同様な構成要素には同じ符号を用いることで、説明の重複を避ける。
【００８６】
本実施形態では、カメラ２として、いわゆる二つ折り式のカメラ付き携帯電話が用いられている。このカメラ２は、第１実施形態のものと異なり、巻き上げ部やファインダやフラッシュを備えていない。ただし、レンズ２１やシャッタ用ボタン（図示せず）は備えている。
【００８７】
第３実施形態のカバー１におけるホルダ３は、第１実施形態と異なり、前側ホルダ部３０１と後側ホルダ部３０２とを備えている。前側ホルダ部３０１の内部には、前側収納空間３３１が形成されている。後側ホルダ部３０２の内部には、後側収納空間３３２が形成されている。第３実施形態における第１収納空間３３は、前側収納空間３３１と後側収納空間３３２とから構成されている。前側収納空間３３１の一端（図中上端）は前側開口部３５１となっており、後側収納空間３３２の一端（図中上端）は後側開口部３５２となっている。本実施形態では、前側開口部３５１と後側開口部３５２とによって、ホルダ３の第１開口部３５が構成されている。第３実施形態では、第１実施形態と異なり、第１開口部３５を閉じる機構は備えていない。
【００８８】
前側ホルダ部３０１には、レンズ前の透孔（第１透孔）３１１が形成されている。後側ホルダ部３０２には、シャッタ用ボタンを操作するための透孔（図示せず）が形成されている。
【００８９】
また、本実施形態の袋体４の第２開口部４２は、第１実施形態と異なり、袋体４の上端に形成されている。さらに、本実施形態の袋体４の下部は、二股に分岐されており、これによって、前側分岐部４０１と後側分岐部４０２とが形成されている。前側分岐部４０１には、レンズ前の透孔（第２透孔）４３が形成されている。
【００９０】
本実施形態のカバー１では、ホルダ３の前側ホルダ部３０１を袋体４の前側分岐部４０１に収納し、後側ホルダ部３０２を後側分岐部４０２に収納する。
【００９１】
本実施形態のカバー１においても、第１開口部３５と第２開口部４２とを同じ向きに配置したので、これらを介してカメラ２をカバー１に着脱することができる。ここで、本実施形態のカバー１では、折りたたみ式であるカメラ２の一方を前側収納空間３３１に収納し、他方を後側収納空間３３２に収納する。他の構成及び利点は、基本的には、第１実施形態と同様なので、説明を省略する。
【００９２】
なお、前記実施形態の記載は単なる一例に過ぎず、本発明に必須の構成を示したものではない。本発明における各部の構成は、本発明の趣旨を達成できるものであれば、前記実施形態には限られない。
【００９３】
例えば、本実施形態のホルダ３は、カメラ２の全体を覆うものとしたが、これに限らず、カメラ２の一部を覆う形状、例えば、ベルトを環状に形成したものであってもよい。
【００９４】
また、前記の説明においては、カバー１の内部は初期状態では空であることを前提としたが、カバー１の内部にあらかじめカメラ２を装着した状態で販売することも可能である。
【図面の簡単な説明】
【００９５】
【図１】本発明の第１実施形態におけるカメラ用防水カバーの分解斜視図である。
【図２】図１のカバーの内部にカメラを収納した状態における概略的な斜視図である。
【図３】図２のＡ−Ａ線に沿う、概略的な拡大横断面図であって、カメラのレンズを上に向けた状態の図である。
【図４】図５のＢ−Ｂ線矢視における、ホルダの拡大横断面図である。
【図５】カメラを内部に収納した状態におけるホルダの背面図である。
【図６】袋体の折り込み部の使用方法を説明するための説明図であって、折り込み部付近における袋体の横断面図である。
【図７】図３における矢印Ｃで示す部分の拡大図である。
【図８】袋体の折り込み部の使用方法を説明するための説明図である。
【図９】本発明の第２実施形態におけるカメラ用防水カバーの分解斜視図である。
【図１０】本発明の第３実施形態におけるカメラ用防水カバーの分解斜視図である。
【符号の説明】
【００９６】
１  カバー
２  カメラ（レンズ付フィルム）
２１  レンズ
２２  ファインダ
２３  フラッシュ
２４  フラッシュ操作スイッチ
２５  シャッタボタン
２６  巻き上げ部
３  ホルダ
３１  前面部
３０１  前側ホルダ部
３０２  後側ホルダ部
３１１  レンズ前の透孔（第１透孔）
３１１ａ  突出部
３１１ｂ  フランジ部
３１２  ファインダ前の透孔
３１３  フラッシュ前の透孔
３１４  シャッタ用の透孔
３２  背面部
３２１  巻き上げ部用の透孔
３２２  ファインダ用の透孔
３２３  凸部
３３  第１収納空間
３３１  前側収納空間
３３２  後側収納空間
３４  接続部
３５  第１開口部
３５１  前側開口部
３５２  後側開口部
４  袋体
４１  第２収納空間
４２  第２開口部
４０１  前側分岐部
４０２  後側分岐部
４２１  スライダ
４３  レンズ前の透孔（第２透孔）
４４  折り込み部
４４１  底部
５  透明体
【図１】
0004814652.tif 000002
【図２】
0004814652.tif 000003
【図３】
0004814652.tif 000004
【図４】
0004814652.tif 000005
【図５】
0004814652.tif 000006
【図６】
0004814652.tif 000007
【図７】
0004814652.tif 000008
【図８】
0004814652.tif 000009
【図９】
0004814652.tif 000010
【図１０】
0004814652.tif 000011